(57)【要約】【課題】簡易な操作で情報を蓄積していくことが可能な伝票処理装置及びプログラムを実現することである。【解決手段】伝票に光線を照射し、その伝票に設けられたバーコードから識別情報を読み取る読み取り手段と、前記伝票を撮影する撮影手段とを備えた伝票処理装置において、使用者からの情報取得指示に応答し（Ｓ６：ＹＥＳ）、前記読み取り手段による前記識別情報の読み取りと、前記撮影手段による前記伝票の撮影とを実施し（Ｓ７、Ｓ１０）、前記識別情報の取得に成功した時点で（Ｓ６：ＹＥＳ）、前記伝票の撮影画像を、取得された識別情報と関係付けて所定の記録手段に記録する（Ｓ１６）。一度の操作で撮影画像と識別情報とを取得することができる。【選択図】  図７
2019220219.tif 000002
【特許請求の範囲】
【請求項１】
伝票に光線を照射し、前記伝票に設けられたバーコードから識別情報を読み取る読み取り手段と、
前記伝票を撮影する撮影手段と、
使用者からの情報取得指示に応答し、前記読み取り手段による前記識別情報の読み取りと、前記撮影手段による前記伝票の撮影とを実施する情報取得制御手段と、
前記識別情報の取得に成功したことを条件に前記成功したタイミングに基づいて、前記伝票の撮影画像を、取得された識別情報と関係付けて所定の記録手段に記録する記録制御手段と
を備えたことを特徴とする伝票処理装置。
【請求項２】
前記情報取得制御手段は、使用者からの情報取得指示に応答し、前記読み取り手段による前記識別情報の読み取りを複数回実施させ、
前記記録制御手段は、前記読み取り手段による前記識別情報の取得に規定回以上成功したことを条件として、前記伝票の撮影画像を、取得された識別情報と関係付けて所定の記録手段に記録する
ことを特徴とする請求項１記載の伝票処理装置。
【請求項３】
前記撮影手段における撮影方向と前記光線の照射方向と同一方向に設定されたことを特徴とする請求項１又は２記載の伝票処理装置。
【請求項４】
伝票に光線を照射し、前記伝票に設けられたバーコードから識別情報を読み取る読み取り手段と、前記伝票を撮影する撮影手段とを備えた伝票処理装置における伝票処理方法であって、
使用者からの情報取得指示に応答し、前記読み取り手段による前記識別情報の読み取りと、前記撮影手段による前記伝票の撮影とを実施する工程と、
前記識別情報の取得に成功したことを条件に前記成功したタイミングに基づいて、前記伝票の撮影画像を、取得された識別情報と関係付けて所定の記録手段に記録する工程と
を含むことを特徴とする伝票処理方法。
【請求項５】
伝票に光線を照射し、前記伝票に設けられたバーコードから識別情報を読み取る読み取り手段と、前記伝票を撮影する撮影手段とを備えた伝票処理装置が有するコンピュータを、
使用者からの情報取得指示に応答し、前記読み取り手段による前記識別情報の読み取りと、前記撮影手段による前記伝票の撮影とを実施する情報取得制御手段と、
前記識別情報の取得に成功したことを条件に前記成功したタイミングに基づいて、前記伝票の撮影画像を、取得された識別情報と関係付けて所定の記録手段に記録する記録制御手段と
して機能させることを特徴するプログラム。
【発明の詳細な説明】
【技術分野】
【０００１】
本発明は、伝票処理装置、伝票処理方法及びプログラムに関する。
【背景技術】
【０００２】
業務用のデータ収集端末装置としてハンディーターミナルが知られている。ハンディーターミナルには、バーコードスキャナとカメラを備え、各種伝票から、伝票に印刷されているバーコードの識別情報とカメラによって撮像された伝票の画像情報を取得するものがある。
【０００３】
従来、伝票に印刷されているバーコードの識別情報と伝票の画像情報を対応付けてデータ管理する場合には、まず、バーコードスキャナでバーコードを読み取ることで識別情報を取得し、その後、カメラによって伝票を撮像することで、識別情報と画像情報を対応付けて保存する管理方法が知られている（特許文献１参照）。
【先行技術文献】
【特許文献】
【０００４】
【特許文献１】特開平１１−３４９１１４号公報
【発明の概要】
【発明が解決しようとする課題】
【０００５】
しかし、上記従来の管理方法では、バーコードの読み取りを行った後に、撮像を行うという２つのアクションを必要とするため、単にバーコードの識別情報を取得する場合と比較して余分な時間と労力を浪費し、例えば多量の伝票を処理する場合にはそれが甚だしいという問題があった。
【０００６】
本発明の課題は、伝票から識別情報と画像情報とを取得する伝票処理作業の作業性を向上させることにある。
【課題を解決するための手段】
【０００７】
前記課題を解決するため、本発明の伝票処理装置にあっては、伝票に光線を照射し、前記伝票に設けられたバーコードから識別情報を読み取る読み取り手段と、前記伝票を撮影する撮影手段と、使用者からの情報取得指示に応答し、前記読み取り手段による前記識別情報の読み取りと、前記撮影手段による前記伝票の撮影とを実施する情報取得制御手段と、前記識別情報の取得に成功したことを条件に前記成功したタイミングに基づいて、前記伝票の撮影画像を、取得された識別情報と関係付けて所定の記録手段に記録する記録制御手段とを備えたことを特徴とする。
【０００８】
また、本発明の伝票処理方法にあっては、伝票に光線を照射し、前記伝票に設けられたバーコードから識別情報を読み取る読み取り手段と、前記伝票を撮影する撮影手段とを備えた伝票処理装置における伝票処理方法であって、使用者からの情報取得指示に応答し、前記読み取り手段による前記識別情報の読み取りと、前記撮影手段による前記伝票の撮影とを実施する工程と、前記識別情報の取得に成功したことを条件に前記成功したタイミングに基づいて、前記伝票の撮影画像を、取得された識別情報と関係付けて所定の記録手段に記録する工程とを含むことを特徴とする。
【０００９】
また、本発明のプログラムにあっては、伝票に光線を照射し、前記伝票に設けられたバーコードから識別情報を読み取る読み取り手段と、前記伝票を撮影する撮影手段とを備えた伝票処理装置が有するコンピュータを、使用者からの情報取得指示に応答し、前記読み取り手段による前記識別情報の読み取りと、前記撮影手段による前記伝票の撮影とを実施する情報取得制御手段と、前記識別情報の取得に成功したことを条件に前記成功したタイミングに基づいて、前記伝票の撮影画像を、取得された識別情報と関係付けて所定の記録手段に記録する記録制御手段として機能させることを特徴する。
【発明の効果】
【００１０】
本発明によれば、伝票から識別情報と画像情報とを取得する伝票処理作業の作業性を向上させることができる。
【図面の簡単な説明】
【００１１】
【図１】本発明に係るハンディーターミナルの一実施形態を示した正面図である。
【図２】ハンディーターミナルの側面図である。
【図３】ハンディーターミナルの裏面側を示した斜視図である。
【図４】バーコードの読み取り時におけるレーザー光の光跡とカメラの撮影範囲との関係を示す図である。
【図５】ハンディーターミナルの電気的構成の概略を示すブロック図である。
【図６】伝票データを示す概念図である。
【図７】伝票撮影モードでの処理を示すフローチャートである。
【図８】ライブビュー画像の一例を示す図である。
【発明を実施するための形態】
【００１２】
以下、本発明の実施形態について説明する。図１〜図３は、本発明の伝票処理装置の一実施形態に係るハンディーターミナルを示す図である。
【００１３】
このハンディーターミナルは、バーコードが設けられている各種の伝票や物品等の対象物を撮影する撮影機能を備えたものであって、図１〜図３に示すように、機器ケース１を備えている。この機器ケース１は、上部ケース２と下部ケース３とで構成されている。上部ケース２には、ディスプレイ４と入力部５とが設けられている。下部ケース３には、読取装置６と電池蓋７とが設けられている。
【００１４】
機器ケース１は、上部ケース２のディスプレイ４側およびこれに対応する下部ケース３の読取装置６側に位置する先端部側（図１では上辺部側）が前後方向（図１では上下方向）に長い長方形状の本体部１ａに形成され、上部ケース２の入力部５側およびこれに対応する下部ケース３の電池蓋７側に位置する手前部側（図１では下辺部側）が前後方向に長い長方形状の握り部１ｂに形成されている。また、機器ケース１は、握り部１ｂの幅が本体部１ａの幅よりも狭く、全体がほぼ羽子板形状に形成されている。
【００１５】
図１に示すように、入力部５は、テンキー、演算キー、カーソルキー、決定キー、電源キーなどの各種のキー５ａを備え、これらが握り部１ｂ側に位置する上部ケース２に配列されている。入力部５の上辺部には、センタートリガーキー５ｂが設けられる一方、機器ケース１の両側面にはサイドトリガーキー５ｃがそれぞれ設けられている。
【００１６】
読取装置６は、ディスプレイ４の裏面側に対応する下部ケース３の下面（図３では上面）に設けられたユニットケース１０の内部に設けられているスキャナとカメラとから構成され、ユニットケース１０には、スキャナに対応する読取窓部１１とカメラに対応する撮影窓部１２とが設けられている。
【００１７】
読取装置６のスキャナは、読取窓部１１を介して対象物にレーザー光を照射し、その照射位置を所定方向に往復移動させる間に、その反射光を受光することによりバーコードを読み取りコードデータを取得する一般的なものである。また、読取装置６のカメラは、撮影窓部１２を介して撮像素子により対象物を撮像するものであり、カメラにより撮像された対象物等の画像はディスプレイ４に表示される。
【００１８】
ここで、ハンディーターミナルにおいては、図２に示すように、読取装置６におけるレーザー光の照射方向Ｓ１とカメラの撮影方向Ｓ２とは同一方向に設定されており、バーコードの読み取り時に往復移動するレーザー光の光跡がカメラの撮影範囲を所定の位置で横切るよう構成されている。
【００１９】
図４は、バーコードの読み取り時におけるレーザー光Ｌの光跡Ｔとカメラの撮影範囲１００との関係を示す図である。本実施形態においてカメラの撮影範囲１００は長方形であるとともに、レーザー光Ｌの移動方向は左右方向であり、その光跡Ｔは撮影範囲１００の中央よりやや下方に位置して撮影範囲１００を横断する。また、光跡Ｔの横断位置Ｎ、つまり撮影範囲１００における上下方向の位置は一定である。
【００２０】
また、レーザー光の照射方向Ｓ１とカメラの撮影方向Ｓ２とは、機器ケース１の下面つまり下部ケース３の下面に対して所定角度θの傾きを確保されており、ユーザ（作業者）がバーコードの読み取り作業及び対象物の撮影作業を行う際には、それらの作業をディスプレイ４を見ながら容易に行えるように構成されている。なお、所定角度θは下部ケース３の先端側（図２では上辺側）に向けて４０°〜８０°の角度範囲、好ましくは６０°の角度で傾いていることが望ましい。
【００２１】
一方、図５は、ハンディーターミナルの電気的構成の概略を示すブロック図である。ハンディーターミナルは、ＣＰＵ（Central Processing Unit）２１と、ＣＰＵ２１に接続されたＲＡＭ（Random
Access Memory）２２と、主記憶部２３、記憶部２４、キー入力部２５、表示部２６、スキャナ部２７、カメラ部２８、通信部２９、時計部３０から構成されている。
【００２２】
主記憶部２３は、ハンディーターミナルに内蔵されたフラッシュメモリ等の書き換え可能な不揮発性メモリにより構成される。主記憶部２３には、制御プログラム、ユーザに設定されたハンディーターミナルの動作等に関する各種の設定情報等が記憶される。また、ハンディーターミナルは複数種の伝票に対応可能であり、主記憶部２３には、ユーザにより予め設定された複数種類の伝票に関する情報（以下、伝票情報）が制御プログラムと共に予め記憶されている。伝票情報には、伝票の形状（縦横比）、実寸法、バーコードの記載位置、バーコードの種類が含まれる。
【００２３】
ＣＰＵ２１は、主記憶部２３から制御プログラムを読み出してＲＡＭ２２に展開し、展開した制御プログラムに基づきハンディーターミナルの動作を制御する。その際、ＲＡＭ２２は作業のメモリとして使用され、必要に応じて画像データを含む各種データが一時記憶される。
【００２４】
キー入力部２５は、各種のキー５ａ（テンキー、演算キー、カーソルキー、決定キー、電源キーなど）、及びセンタートリガーキー５ｂ、サイドトリガーキー５ｃを含み、それらに対する操作の有無を検出し、それらの操作情報をＣＰＵ２１へ供給する。表示部２６は、ディスプレイ４及びその駆動回路から構成される。ディスプレイ４は、例えばＬＣＤ（Liquid  Crystal  Display）、ＥＬＤ（Electro  Luminescent  Display）である。
【００２５】
スキャナ部２７は、前述した読取装置６に収容されたレーザースキャナモジュール等であり、レーザー光を発光するレーザーダイオードと、レーザー光を反射するとともに、所定の角度内で回動することにより物品表面のバーコードを走査する可動ミラー、物品表面の乱反射光を受光する受光素子を備えている。スキャナ部２７には、レーザーダイオードの発光を制御するレーザー制御回路、可動ミラーを駆動するミラー駆動回路、受光素子が出力するアナログ信号を処理しＡ／Ｄ変換するアナログ信号処理回路、処理後のデジタル信号からコードデータをデコードし、そのコードデータをＣＰＵ２１へ供給するデコード回路が含まれる。
【００２６】
カメラ部２８は、前述した読取装置６に収容されたデジタルカメラモジュール等であり、フォーカスレンズを含む撮影レンズを介して被写体を撮像する撮像素子等から構成される。撮像素子は例えばＣＣＤ（Charge  Coupled  Device）やＣＭＯＳ（Complementary  Meta1  0xide  Semiconductor）型である。
【００２７】
図示しないが、カメラ部２８には、撮像素子を駆動する駆動回路と、撮像素子から読み出される撮像信号を処理し、ホワイトバランスや明るさ調整等の各種の信号処理を行い画像データとしてＣＰＵ２１へ供給する画像処理回路と、撮影レンズを駆動しフォーカス調整を行うことによりＡＦ（Auto  Focus）機能を実現するＡＦ駆動回路が含まれる。
【００２８】
記憶部２４は、例えばハンディーターミナルに着脱自在な各種のメモリカード、及びメモリカードへのデータの入出力を可能とするカードインターフェイスにより構成される。記憶部２４には、スキャナ部２７により取得されたコードデータ、すなわち伝票に固有の識別情報と、カメラ部２８により取得された画像データとが関連付けられ他の情報と共に図６に示した伝票データ５０として記憶される。
【００２９】
図６は、記憶部２４に記憶される伝票データ５０を示す概念図である。伝票データ５０は、伝票管理ＩＤ５１、コードデータ５２、画像データ５３、撮影日時５４の各データから構成される。ここで伝票管理ＩＤ５１は、伝票データ５０の管理に使用される識別情報であり、撮影日時５４は画像データ５３の取得日時である。
【００３０】
通信部２９は、必要に応じて有線又は無線通信によって外部の情報機器との間で通信を行い、記憶部２４に記憶（保存）されている伝票データ５０を外部の情報機器に送信する。外部の情報機器は、例えば物品の入出庫や在庫などの管理業務に使用されるコンピュータやデータ管理サーバである。
【００３１】
時計部３０は、カレンダー機能を備えたリアルタイムクロックであり、現在の年月日時を計時し、それを時刻情報としてＣＰＵ２１に出力する。
【００３２】
次に、ユーザがハンディーターミナルを用いて伝票から識別情報と画像情報とを取得する際におけるハンディーターミナルの動作を具体的に説明する。図７は、電源投入に伴いＣＰＵ２１が主記憶部２３に記憶されている制御プログラムに従い実行する伝票撮影モードでの処理を示したフローチャートである。
【００３３】
伝票撮影モードにおいてＣＰＵ２１は、処理対象として予め指定されている伝票に関する伝票情報を主記憶部２３から読み出す（ステップＳ１）。さらにＣＰＵ２１は、ライブビュー表示、すなわちカメラ部２８による所定のフレームレート（例えば３０ｆｐｓ）での画像の取り込み、及び取り込んだ画像（以下、ライブビュー画像）のディスプレイ４での表示を開始する（ステップＳ２）。その間、カメラ部２８ではＡＦ機能によるフォーカス調整が行われる。
【００３４】
以後、ＣＰＵ２１は、逐次取り込んだフレーム毎（数フレーム毎でもよい。）のライブビュー画像から伝票に該当する領域（以下、伝票領域）を認識する（ステップＳ３）。伝票領域の認識は、例えばライブビュー画像に対してエッジ検出や直線認識を行い、認識した複数の直線に沿って区画される複数の矩形領域を検出し、その中で面積が最大の矩形領域を伝票領域として特定することにより行う。なお、伝票領域の特定には色情報を使用することもできる。
【００３５】
ＣＰＵ２１は、伝票領域が認識できると（ステップＳ４：ＹＥＳ）、ライブビュー画像の所定位置に、ＯＳＤ（On  Screen  Display）機能によってガイド枠を重畳して表示する（ステップＳ５）。図８（ａ）は、対象の伝票３０１が存在するライブビュー画像２０１にガイド枠Ｆが表示された状態のライブビュー画像２０１の一例を示す図である。ガイド枠Ｆは、伝票３０１の撮影に際して確保すべきライブビュー画像２０１における伝票３０１の大きさと位置とをユーザに示すものである。
【００３６】
ガイド枠Ｆにより示される大きさは、伝票３０１を撮影した画像において伝票３０１部分に所定の解像度（画素サイズ）を確保しうる最小の大きさである。ガイド枠Ｆにより示される位置は、伝票３０１のバーコード３０２の読み取りに適する位置であり、バーコードの読み取り時におけるレーザー光Ｌの光跡Ｔの位置（図４参照）に応じた位置である。なお、ステップＳ５の処理に際して、ガイド枠Ｆの形状と大きさと表示位置は、カメラ部２８における撮像素子の有効画素数、又は記録画像の画素数が選択できる構成においては、その時点で設定されている画素数と、処理対象の伝票に設定されている伝票情報、すなわち伝票の形状（縦横比）、実寸法、バーコードの記載位置に基づき決定される。
【００３７】
そして、ライブビュー画像２０１にガイド枠Ｆを表示した後、ＣＰＵ２１は、トリガーキー（センタートリガーキー５ｂ又はサイドトリガーキー５ｃ）がオン状態となったか否か、すなわちユーザによってトリガーキーが押された否かを逐次確認する（ステップＳ６）。その間、ユーザは、ライブビュー画像２０１における伝票３０１の大きさと位置とガイド枠Ｆに従い調整することとなる。
【００３８】
やがてユーザによりトリガーキーが押下されると（ステップＳ６：ＹＥＳ）、それに応答してＣＰＵ２１は、カメラ部２８に撮影を指示し、カメラ部２８に記録用の画像の取得に向けた撮像動作、すなわち撮影動作を行わせ（ステップＳ７）、カメラ部２８により取得された撮影画像のデータをＲＡＭ２２に一時記憶する（ステップＳ８）。この際には、時計部３０を介して、現在の時刻情報を所得し、撮影画像のデータに対応付けて一時記憶させておく。
【００３９】
引き続き、ＣＰＵ２１は、処理開始当初は「０」にセットされているバーコードの読み取り動作回数のカウント値ｎをインクリメントした後（ステップＳ９）、スキャナ部２７にバーコードの読み取りを指示し、スキャナ部２７においてレーザー光の照射、照射したレーザー光によるバーコードの走査、コードデータのデコードからなる一連の読み取り動作を行わせる（ステップＳ１０）。
【００４０】
なお、図８（ｂ）は、スキャナ部２７によってバーコードの読み取り動作が開始された直後におけるライブビュー画像２０１の一例を示した図である。読み取り動作中のライブビュー画像２０１にはレーザー光の光跡Ｔが写し出される。
【００４１】
スキャナ部２７においてコードデータが取得できると（ステップＳ１１：ＹＥＳ）、ＣＰＵ２１は、取得されたコードデータをＲＡＭ２２に一時記憶するとともに（ステップＳ１２）、処理開始当初は「０」にセットされているコードデータの取得成功回数のカウント値Ｓをインクリメントする（ステップＳ１２）。しかる後、ＣＰＵ２１は、バーコードの読み取り動作回数が１０回（ｎ＝１０）に達する以前は（ステップＳ１３：ＮＯ）、ステップＳ９の処理に戻り、それ以降の処理を繰り返す。
【００４２】
また、ＣＰＵ２１は、スキャナ部２７においてコードデータが取得できないときには（ステップＳ１１：ＮＯ）、バーコードの読み取り動作回数が１０回に達する以前は（ステップＳ１３：ＮＯ）、直ちにステップＳ９の処理に戻り、それ以降の処理を繰り返す。
【００４３】
やがてバーコードの読み取り動作回数が１０回（ｎ＝１０）に達すると（ステップＳ１３：ＹＥＳ）、ＣＰＵ２１は、コードデータの取得成功回数が３回以上であるか否かを確認する（ステップＳ１４：ＹＥＳ）。
【００４４】
そして、ＣＰＵ２１は、コードデータの取得成功回数が３回以上であれば（ステップＳ１５：ＹＥＳ）、バーコードの読み取りに成功したと最終的に判断し、ＲＡＭ２２に一時記憶されている撮影画像データとコードデータとを関係付けて記憶部２４に記憶する（ステップＳ１６）。すなわち撮影画像データとコードデータとを他のデータと共に新たな伝票データ５０として記憶部２４に記憶する。しかる後、ＣＰＵ２１は、データ（コードデータと撮影画像データ）の取得が完了した旨をディスプレイ４に表示し（ステップＳ１７）、これにより１回の読み取り動作を終了する。
【００４５】
一方、コードデータの取得成功回数が３回に未満である場合（ステップＳ１５：ＮＯ）、ＣＰＵ２１は、バーコードの読み取りに失敗したと最終的に判断し、データ（コードデータと撮影画像データ）の取得が不能である旨をディスプレイ４に表示する（ステップＳ１８）。また、ＲＡＭ２２に一時記憶された撮影画像を削除する（ステップＳ１９）。ＣＰＵ２１は、これによりユーザに対してデータ取得作業のやり直し等を促すととともに、ステップＳ３の処理に戻り、それ以降の処理を繰り返す。
【００４６】
以上のように本実施形態においては、ユーザがトリガーキー（センタートリガーキー５ｂ又はサイドトリガーキー５ｃ）を一度押せば、それに応答してバーコードの読み取り動作と伝票の撮影動作とが実施される。したがって、伝票３０１に印刷されているバーコード３０２の識別情報（コードデータ）と伝票３０１の画像情報（撮影画像データ）を関係付けてデータ管理する場合には、それに要する伝票処理の作業性を向上させることができる。特に多量の伝票を処理する場合にはその効果が大である。
【００４７】
また、バーコードの読み取りについては、スキャナ部２７に読み取り動作を複数回（上記の例では１０回）実施させ、コードデータの取得に規定回以上（上記の例では３回以上）成功したことを条件として、撮影画像データをコードデータ関係付けて記憶部２４に記憶するようにした。これにより、例えば伝票のバーコード部分に凹凸があったり、汚れがあったりすることに起因しレーザー光の照射角度の僅かな違いによって読み取りに成功したり、失敗したりするような場合であっても、より確実にコードデータを取得することができる。その結果、伝票処理の作業性をより一層向上させることができる。
【００４８】
なお、本実施形態においては、トリガーキーの操作に応答し、伝票の撮影動作を実施した後、バーコードの読み取り動作を実施したが、双方の動作は同一タイミングで並行して行うようにしてもよい。その場合、例えばカメラ部２８の撮影動作中における撮像素子の露光期間に限定してスキャナ部２７におけるレーザー光の照射を一時的に停止させることにより、撮影画像におけるレーザー光の光跡の写り込みが防止できる。
【００４９】
以上、本発明の実施形態、及びその変形例について説明したが、これらは本発明の作用効果が得られる範囲内であれば適宜変更が可能であり、変更後の実施形態も特許請求の範囲に記載された発明、及びその発明と均等の発明の範囲に含まれる。以下に、本出願の当初の特許請求の範囲に記載された発明を付記する。
（付記１）
伝票に光線を照射し、前記伝票に設けられたバーコードから識別情報を読み取る読み取り手段と、
前記伝票を撮影する撮影手段と、
使用者からの情報取得指示に応答し、前記読み取り手段による前記識別情報の読み取りと、前記撮影手段による前記伝票の撮影とを実施する情報取得制御手段と、
前記識別情報の取得に成功したことを条件に前記成功したタイミングに基づいて、前記伝票の撮影画像を、取得された識別情報と関係付けて所定の記録手段に記録する記録制御手段と
を備えたことを特徴とする伝票処理装置。
（付記２）
前記情報取得制御手段は、使用者からの情報取得指示に応答し、前記読み取り手段による前記識別情報の読み取りを複数回実施させ、
前記記録制御手段は、前記読み取り手段による前記識別情報の取得に規定回以上成功したことを条件として、前記伝票の撮影画像を、取得された識別情報と関係付けて所定の記録手段に記録する
ことを特徴とする付記１記載の伝票処理装置。
（付記３）
前記撮影手段における撮影方向と前記光線の照射方向と同一方向に設定されたことを特徴とする付記１又は２記載の伝票処理装置。
（付記４）
伝票に光線を照射し、前記伝票に設けられたバーコードから識別情報を読み取る読み取り手段と、前記伝票を撮影する撮影手段とを備えた伝票処理装置における伝票処理方法であって、
使用者からの情報取得指示に応答し、前記読み取り手段による前記識別情報の読み取りと、前記撮影手段による前記伝票の撮影とを実施する工程と、
前記識別情報の取得に成功したことを条件に前記成功したタイミングに基づいて、前記伝票の撮影画像を、取得された識別情報と関係付けて所定の記録手段に記録する工程と
を含むことを特徴とする伝票処理方法。
（付記５）
伝票に光線を照射し、前記伝票に設けられたバーコードから識別情報を読み取る読み取り手段と、前記伝票を撮影する撮影手段とを備えた伝票処理装置が有するコンピュータを、
使用者からの情報取得指示に応答し、前記読み取り手段による前記識別情報の読み取りと、前記撮影手段による前記伝票の撮影とを実施する情報取得制御手段と、
前記識別情報の取得に成功したことを条件に前記成功したタイミングに基づいて、前記伝票の撮影画像を、取得された識別情報と関係付けて所定の記録手段に記録する記録制御手段と
して機能させることを特徴するプログラム。
【符号の説明】
【００５０】
４    ディスプレイ
５ｂ    センタートリガーキー
５ｃ    サイドトリガーキー
１１    読取窓部
１２    撮影窓部
２１    ＣＰＵ
２２    ＲＡＭ
２３    主記憶部
２４    記憶部
２５    キー入力部
２６    表示部
２７    スキャナ部
２８    カメラ部
５０    伝票データ
１００    撮影範囲
２０１    ライブビュー画像
３０１    伝票
３０２    バーコード
Ｆ    ガイド枠
Ｌ    レーザー光
Ｔ    光跡
Ｓ１    照射方向
Ｓ２    撮影方向
【図１】
2019220219.tif 000003
【図２】
2019220219.tif 000004
【図３】
2019220219.tif 000005
【図４】
2019220219.tif 000006
【図５】
2019220219.tif 000007
【図６】
2019220219.tif 000008
【図７】
2019220219.tif 000009
【図８】
2019220219.tif 000010
【手続補正書】
【提出日】令和1年10月9日(2019.10.9)
【手続補正１】
【補正対象書類名】明細書
【補正対象項目名】０００７
【補正方法】変更
【補正の内容】
【０００７】
前記課題を解決するため、本発明の伝票処理装置にあっては、撮影の対象とされた伝票にバーコードが付加されていた場合に、前記バーコードから識別情報を読み取る読取手段と、前記読取手段による前記識別情報の読み取りが成功したと判定された場合に、当該識別情報を前記撮影により取得した伝票画像と対応付けて所定の記録手段に記録する一方で、前記読取手段による前記識別情報の読み取りが失敗したと判定された場合に、前記撮影により取得した伝票画像を廃棄する画像記録制御手段と、を備える、ことを特徴とする。
【手続補正２】
【補正対象書類名】明細書
【補正対象項目名】０００８
【補正方法】変更
【補正の内容】
【０００８】
また、本発明の伝票処理方法にあっては、撮影の対象とされた伝票にバーコードが付加されていた場合に、前記バーコードから識別情報を読み取る読取手段を備えた伝票処理装置における伝票処理方法であって、前記読取手段による前記識別情報の読み取りが成功したと判定された場合に、当該識別情報を前記撮影により取得した伝票画像と対応付けて所定の記録手段に記録する一方で、前記読取手段による前記識別情報の読み取りが失敗したと判定された場合に、前記撮影により取得した伝票画像を廃棄する画像記録制御ステップ、を含む、ことを特徴とする。
【手続補正３】
【補正対象書類名】明細書
【補正対象項目名】０００９
【補正方法】変更
【補正の内容】
【０００９】
また、本発明のプログラムにあっては、撮影の対象とされた伝票にバーコードが付加されていた場合に、前記バーコードから識別情報を読み取る読取手段を備えた伝票処理装置が有するコンピュータを、前記読取手段による前記識別情報の読み取りが成功したと判定された場合に、当該識別情報を前記撮影により取得した伝票画像と対応付けて所定の記録手段に記録する一方で、前記読取手段による前記識別情報の読み取りが失敗したと判定された場合に、前記撮影により取得した伝票画像を廃棄する画像記録制御手段、として機能させる、ことを特徴とする。
【手続補正４】
【補正対象書類名】特許請求の範囲
【補正対象項目名】全文
【補正方法】変更
【補正の内容】
【特許請求の範囲】
【請求項１】
撮影の対象とされた伝票にバーコードが付加されていた場合に、前記バーコードから識別情報を読み取る読取手段と、
前記読取手段による前記識別情報の読み取りが成功したと判定された場合に、当該識別情報を前記撮影により取得した伝票画像と対応付けて所定の記録手段に記録する一方で、前記読取手段による前記識別情報の読み取りが失敗したと判定された場合に、前記撮影により取得した伝票画像を廃棄する画像記録制御手段と、
を備えることを特徴とした伝票処理装置。
【請求項２】
前記読取手段は、ユーザからの情報取得指示に基づいて前記バーコードから識別情報の読み取りを開始する、
ことを特徴とした請求項１に記載の伝票処理装置。
【請求項３】
前記伝票の撮影は、ユーザからの情報取得指示に応答して実施される、
ことを特徴とした請求項１又は２に記載の伝票処理装置。
【請求項４】
前記画像記録制御手段は、前記読取手段による前記識別情報の読み取りを複数回実施させ、前記識別情報の取得に規定回以上成功したことを条件として、前記識別情報の読み取りが成功したと判定する、
ことを特徴とした請求項１に記載の伝票処理装置。
【請求項５】
前記画像記録制御手段は、前記バーコードに照射された光線の反射光に基づくデコード処理を複数回実施させ、当該デコード処理により規定回以上前記バーコードをデコードすることができたことを条件として、前記識別情報の読み取りが成功したと判定する、
ことを特徴とした請求項１に記載の伝票処理装置。
【請求項６】
前記画像記録制御手段は、前記デコード処理により規定回以上前記バーコードをデコードすることができなかった場合に前記識別情報の読み取りに失敗したと判定する、
ことを特徴とした請求項５に記載の伝票処理装置。
【請求項７】
撮影の対象とされた伝票にバーコードが付加されていた場合に、前記バーコードから識別情報を読み取る読取手段を備えた伝票処理装置における伝票処理方法であって、
前記読取手段による前記識別情報の読み取りが成功したと判定された場合に、当該識別情報を前記撮影により取得した伝票画像と対応付けて所定の記録手段に記録する一方で、前記読取手段による前記識別情報の読み取りが失敗したと判定された場合に、前記撮影により取得した伝票画像を廃棄する画像記録制御ステップ、
を含むことを特徴とした伝票処理方法。
【請求項８】
撮影の対象とされた伝票にバーコードが付加されていた場合に、前記バーコードから識別情報を読み取る読取手段を備えた伝票処理装置が有するコンピュータを、
前記読取手段による前記識別情報の読み取りが成功したと判定された場合に、当該識別情報を前記撮影により取得した伝票画像と対応付けて所定の記録手段に記録する一方で、前記読取手段による前記識別情報の読み取りが失敗したと判定された場合に、前記撮影により取得した伝票画像を廃棄する画像記録制御手段、
として機能させることを特徴としたプログラム。